(57)【要約】【課題】脱着可能な収納体が設けられたゴルフ用キャディバッグであって、使用シーンに応じて使い分けが可能なゴルフ用キャディバッグを提供する。【解決手段】胴部材２１と底部材２２を有するバッグ本体２０と、バッグ本体２０の外側に、一または複数の第一種固定具および一または複数の第二種固定具４１により着脱可能に接続される収納体３０と、を有する。【選択図】図１
0003199310.tif 000002
【実用新案登録請求の範囲】
【請求項１】
胴部材と底部材を有するバッグ本体と、
該バッグ本体の外側に、一または複数の第一種固定具および一または複数の第二種固定具により着脱可能に接続される収納体と、を有することを特徴とするゴルフ用キャディバッグ。
【請求項２】
前記収納体は縁部を有し、該縁部に前記第一種固定具および前記第二種固定具が配置される請求項１に記載のゴルフ用キャディバッグ。
【請求項３】
一の縁部が前記第一種固定具により前記バッグ本体に接続され、前記一の縁部とは反対側にある他の縁部が前記第二種固定具により前記バッグ本体に接続される請求項２に記載のゴルフ用キャディバッグ。
【請求項４】
前記縁部に前記第一種固定具と前記第二種固定具が交互に配置される請求項２に記載のゴルフ用キャディバッグ。
【請求項５】
前記バッグ本体の上部と前記収納体の前記縁部がスナップボタンにより接続される請求項２〜４のいずれか一項に記載のゴルフ用キャディバッグ。
【請求項６】
前記第一種固定具がスナップボタンであり、前記第二種固定具がひねり留め具である請求項１〜５のいずれか一項に記載のゴルフ用キャディバッグ。
【考案の詳細な説明】
【技術分野】
【０００１】
本考案はゴルフ用キャディバッグに関するものであり、詳細には脱着可能な収納体が設けられたゴルフ用キャディバッグに関するものである。
【背景技術】
【０００２】
ゴルフ用キャディバッグは使用するシーンに応じて使い分けがなされるのが一般的であり、例えば、会員制ゴルフ場でのプレイや接待ゴルフ等のフォーマルシーンでは小物を収納するためのポケットが多数設けられた通常タイプ（質量約５ｋｇ）のキャディバッグが、練習場や河川敷ゴルフ場でのプレイ等のカジュアルシーンでは必要最小限の道具を収納可能な軽量タイプ（質量約３ｋｇ）のキャディバッグが好んで使用される。
【考案の概要】
【考案が解決しようとする課題】
【０００３】
しかし、上記２つのタイプのキャディバッグを使い分けるとなると、使用シーンに応じて一方のバッグから他方のバッグにゴルフクラブ等の収納物を入れ替える必要があるため、使用者の手間を煩わせるものであった。
【０００４】
また、通常タイプのバッグのみを所有している者は、カジュアルシーンでも通常タイプのバッグの使用を余儀なくされ、持ち運び時の手軽さに欠けることがあった。
【０００５】
本考案は前記事情に鑑みてなされたものであり、その目的は、脱着可能な収納体が設けられたゴルフ用キャディバッグであって、使用シーンに応じて使い分けが可能なゴルフ用キャディバッグを提供することにある。
【課題を解決するための手段】
【０００６】
本考案者は、比較的大きいサイズの小物を収納できる収納体がバッグ本体に脱着可能に設けられれば（１）バッグ本体および収納体と（２）バッグ本体のみの２パターンで使い分けが可能なバッグが得られると考えた。しかし、遠隔地でプレイするために、例えば宅配業者に依頼してバッグを輸送する必要性が生じた場合、上記（１）のバッグは輸送時に付加される衝撃等によってバッグ本体から収納体が脱落するおそれがあった。そこで本考案者は、種々の試験を行った結果、バッグ本体と収納体の接続に固定構造が異なる二種類の固定具を用いることによって、バッグ本体から収納体が脱落し難いゴルフ用キャディバッグが得られることを見出した。
【０００７】
すなわち、本考案のゴルフ用キャディバッグは、胴部材と底部材を有するバッグ本体と、バッグ本体の外側に、一または複数の第一種固定具および一または複数の第二種固定具により着脱可能に接続される収納体と、を有する点に要旨を有するものである。本考案のゴルフ用キャディバッグは、バッグ本体への収納体の取り付け、およびバッグ本体からの収納体の取り外しを容易に行えるため、使用シーンに応じてバッグ本体および収納体と、バッグ本体のみの２パターンで使い分けができるものである。また、本考案のゴルフ用キャディバッグは固定構造が異なる二種類の固定具を用いているため、バッグ本体に収納体を取り付けて使用する場合にバッグの輸送時に付加される衝撃等によってバッグ本体から収納体が脱落するリスクを低減できる。
【０００８】
収納体は縁部を有し、縁部に第一種固定具および第二種固定具が配置されることが好ましい。これにより収納体の縁部がバッグ本体に取り付けられるため、収納体の縁部がバッグ本体の外表面から浮き上がらず、縁部が引っ張られてバッグ本体から収納体が脱落しやすくなることを抑止する。
【０００９】
一の縁部が第一種固定具によりバッグ本体に接続され、一の縁部とは反対側にある他の縁部が第二種固定具によりバッグ本体に接続されることが好ましい。これにより、バッグの輸送時に付加される衝撃等によって仮に一の縁部に配置された固定具による固定が解除されたとしても、他の縁部に配置された固定具による固定が維持される可能性が高いため、バッグ本体から収納体が脱落するリスクを低減できる。
【００１０】
縁部に第一種固定具と第二種固定具が交互に配置される態様も好適に使用できる。異なる種類の固定具を隣り合わせて配置することにより、バッグの輸送時に付加される衝撃等によってバッグ本体と収納体の固定が部分的に解除されることを抑制する。
【００１１】
バッグ本体の上部と収納体の縁部がスナップボタンにより接続されることが好ましい。収納体をバッグ本体に取り付ける際に、固定および解除を容易に行えるスナップボタンを用いることにより、バッグ本体と収納体の位置合わせを速やかに行うことができる。
【００１２】
第一種固定具がスナップボタンであり、第二種固定具がひねり留め具であることが好ましい。スナップボタンは、固定および解除を容易に行えるためバッグ本体と収納体の固定に適している反面、バッグ輸送時に付加される衝撃等によって意図せずに固定が解除される可能性がある。このため、第二種固定具としてスナップボタンよりも固定解除し難い
ひねり留め具を設けることによって、収納体がバッグ本体から脱落するリスクを低減できる。
【考案の効果】
【００１３】
本考案によれば、使用シーンに応じてバッグ本体および収納体と、バッグ本体のみの２パターンで使い分けができるゴルフ用キャディバッグが得られる。また、本考案のゴルフ用キャディバッグは固定構造が異なる二種類の固定具を用いているため、バッグ本体に収納体を取り付けて使用する場合にバッグの輸送時に付加される衝撃等によってバッグ本体から収納体が脱落するリスクを低減できる。
【図面の簡単な説明】
【００１４】
【図１】図１は、本考案に係るゴルフ用キャディバッグの斜視図である。
【図２】図２は、図１のゴルフ用キャディバッグをＡ方向から見た側面図である。
【図３】図３は、図１のゴルフ用キャディバッグをＢ方向から見た側面図である。
【図４】図４は、本発明に係るゴルフ用キャディバッグの収納体を取り外した例を示す斜視図である。
【図５】図５は、本考案に係るひねり留め具の平面図である。
【図６】図６は、本考案に係るひねり留め具の斜視図である。
【考案を実施するための形態】
【００１５】
以下、本考案に係るゴルフ用キャディバッグに関して、図面を参照しつつ具体的に説明するが、本考案はもとより図示例に限定される訳ではなく、前・後記の趣旨に適合し得る範囲で適当に変更を加えて実施することも可能であり、それらはいずれも本考案の技術的範囲に包含される。
【００１６】
本考案のゴルフ用キャディバッグは、胴部材と底部材を有するバッグ本体と、バッグ本体の外側に、一または複数の第一種固定具および一または複数の第二種固定具により着脱可能に接続される収納体と、を有する点に要旨を有するものである。本考案のゴルフ用キャディバッグは、バッグ本体への収納体の取り付け、およびバッグ本体からの収納体の取り外しを容易に行えるため、使用シーンに応じてバッグ本体および収納体と、バッグ本体のみの２パターンで使い分けができるものである。また、本考案のゴルフ用キャディバッグは固定構造が異なる二種類の固定具を用いているため、バッグ本体に収納体を取り付けて使用する場合にバッグの輸送時に付加される衝撃等によってバッグ本体から収納体が脱落するリスクを低減できる。
【００１７】
ゴルフ用キャディバッグは、ゴルフの練習やラウンドのときに、ゴルフクラブを収納し、携行するためのものである。以下、本考案のゴルフ用キャディバッグについて図面を参照して説明する。図１は本考案に係るゴルフ用キャディバッグの斜視図であり、図２は図１のゴルフ用キャディバッグをＡ方向から見た側面図であり、図３は図１のゴルフ用キャディバッグをＢ方向から見た側面図である。図４は、本発明に係るゴルフ用キャディバッグの収納体を取り外した例を示す斜視図である。なお、本考案においてゴルフ用キャディバッグの上下方向（高さ方向）は、ゴルフクラブを出し入れする出し入れ口側を上側、地面側を下側と定義する。
【００１８】
図１〜図３に示すように、本考案のゴルフ用キャディバッグ１０は、バッグ本体２０と、収納体３０を有する。バッグ本体２０は、胴部材２１と底部材２２を有し、主にゴルフクラブが収納される。
【００１９】
胴部材２１は、ゴルフクラブのヘッド部が上、グリップ部が下となる向きで、複数のゴルフクラブを立てた状態で収納するために、ゴルフクラブのグリップおよびシャフトを取り囲むように覆う部材である。胴部材２１は筒状に形成されるものであり、胴部材２１の高さ方向と直交する方向から見たときの形状は、収納するゴルフクラブの本数に応じた任意の大きさの円、楕円、多角形などにすることができる。なお、図１〜図３には円筒状の胴部材２１の外側に後述する外装材が設けられたバッグ本体２０が示されている。
【００２０】
胴部材２１の素材としては、ゴルフクラブを複数本収納しても変形しない程度の剛性を有していればよく、例えばポリプロピレン、ポリエチレン等を採用することができる。
【００２１】
胴部材２１の保護や収納容量の増大、意匠性の観点から胴部材の外側面には外装材を設けることもできる。もちろん胴部材２１の一部にのみ外装材を設けることもできるが、この場合は胴部材２１の外装材が設けられない部分が外に露出して日光、雨等にさらされることから、胴部材２１には耐水性および耐候性の高い合成樹脂材料を用いることが好ましい。さらに、胴部材２１の一部にのみ外装材を設ける場合に胴部材内に収納されるゴルフクラブが外から見えるように、胴部材の材料として可視光の透過性が高い素材を用いることも好ましい。外装材には、例えば雨具、ゴルフボール、または手袋等のゴルフ用具等を収納するポケットや、取っ手等を設けてもよい。
【００２２】
外装材の素材としては、防水処理を施したキャンバス地またはナイロン地等の織物や、合成皮革や樹脂シート等を採用できる。
【００２３】
ゴルフクラブを胴部材２１内に収納したときに、ゴルフクラブに傷が付くことを防止するために、胴部材２１の内側面に内装材が設けられることが好ましい。内装材の素材は引っ張りや引き裂きに強く、防水性、耐水性、防汚性がよく、また、ゴルフクラブに傷が付かないことが好ましい。例えば、ナイロン、ポリエステル、ポリビニルアルコール、塩化ビニリデン、塩化ビニル等の合成繊維の織布を用いることができる。また、内装材には防水処理や撥水処理を施された素材を用いることもできる。
【００２４】
底部材２２は、胴部材２１の下側に設けられるものであり、ゴルフクラブが地面に直接触れないように支える受け皿としての機能を有する。底部材２２は、ゴルフクラブを立てた状態で所望の本数のゴルフクラブのグリップが収まる大きさを有していればよい。高さ方向と直交する断面における底部材２２の形状は胴部材２１と略同じであることが好ましく、例えば、円、楕円、多角形などにすることができる。
【００２５】
底部材２２の素材は、ゴルフクラブを複数本収納しても変形しない程度の剛性を有していればよく、例えばポリプロピレン、ポリエチレン等を採用することができる。バッグ本体の耐久性を高める観点から、底部材２２は胴部材２１よりも高い剛性を有していることがより好ましい。
【００２６】
上述した胴部材２１と底部材２２を接続すると有底円筒形や有底角筒形などの形状になり、主にゴルフクラブが収納される主収納部として機能するが、さらに胴部材２１の外側に小物を収納する副収納部を設けることもできる。胴部材２１と底部材２２との接続には例えばビスやカシメなどを用いることができる。
【００２７】
ゴルフのプレイ時には、ドライバー、スプーン、バフィー、３〜９番アイアン、サンドウェッジ、アプローチウェッジ、ピッチングウェッジ、フェアウェイウッド、ユーティリティー、パターなどの様々なゴルフクラブが使い分けられる。このため、ゴルフクラブの種類毎に分類して収納できるように、バッグ本体２０の主収納部は複数の区画に分けられることが望ましい。
【００２８】
収納体３０は、バッグ本体２０の外側に、一または複数の第一種固定具４０および一または複数の第二種固定具４１により着脱可能に接続されるものであり、収納体３０には主に雨具、シューズ、ゴルフボール、手袋、ティー等の小物が収納される。本考案のゴルフ用キャディバッグ１０は、バッグ本体２０への収納体３０の取り付け、およびバッグ本体２０からの収納体３０の取り外しを容易に行えるため、例えばフォーマルシーンでは図１〜図３に示すようにバッグ本体２０に収納体３０を取り付けて使用し、カジュアルシーンでは図４に示すようにバッグ本体２０から収納体３０を取り外してバッグ本体２０のみを使用する等、使用シーンに応じて使い分けが可能な利便性の高いものである。
【００２９】
図１〜図３に示すように収納体３０は縁部３１と縁部の内側に収納部３２を有しており、バッグ本体２０の取っ手２３が設けられる側と反対側に収納体３０の収納部３２が配置されている。なお、図１〜図３に示す収納体３０には４つの収納部３２（３２Ａ、３２Ｂ、３２Ｃ、３２Ｄ）が設けられているが、収納部３２の個数は特に限定されない。
【００３０】
収納容量を増やすために、収納部３２にはマチが設けられてもよい。収納部３２内はゴルフシューズ、レインウェアなどの比較的大きい物を入れるために仕切りやポケットが設けられなくてもよく、手袋、ティーなどの小物を収納するために仕切りやポケットが設けられてもよい。
【００３１】
バッグ本体２０と同様に、収納物の保護や意匠性の観点から、収納体３０の外側面には外装材を設けることができる。収納体３０の外装材の素材としては、防水処理を施したキャンバス地またはナイロン地等の織物や、合成皮革や樹脂シート等を採用できる。なお、デザイン性の高いバッグを得るために、胴部材２１に設けられる外装材と、収納体３０の外装材を同一の素材から構成することもできる。
【００３２】
収納部３２の内装材は、バッグ本体２０の内装材と同様に引っ張りや引き裂きに強く、特に防水性、耐水性、防汚性がよいことが好ましい。これにより、収納部３２内にゴルフシューズやレインウェアなどの濡れたものを好適に収納できる。
【００３３】
収納部３２の内装材の素材としては、例えば、ナイロン、ポリエステル、ポリビニルアルコール、塩化ビニリデン、塩化ビニル等の合成繊維の織布を用いることができる。また、内装材には防水処理や撥水処理を施された素材を用いることもできる。デザイン性の高いバッグを得るために、胴部材２１の内装材と、収納体３０の内装材を同一の素材から構成することもできる。
【００３４】
第一種固定具４０および第二種固定具４１は、バッグ本体２０と収納体３０を着脱可能に接続する固定具であり、第一種固定具４０と第二種固定具４１は固定構造が異なる。このように固定構造が異なる二種類の固定具を用いることにより、バッグの輸送時に付加される衝撃等によって仮に一方の種類の固定具による固定が解除されたとしても、他方の種類の固定具により固定が維持される可能性が高く、バッグ本体２０から収納体３０が脱落するリスクを低減できる。
【００３５】
図１〜図３に示すように、収納体３０は縁部３１を有し、縁部３１に第一種固定具４０および第二種固定具４１が配置されることが好ましい。このように収納体３０の縁部３１をバッグ本体２０に取り付けることにより、収納体３０の縁部３１がバッグ本体２０の外表面から浮き上がらず、縁部３１が引っ張られてバッグ本体２０から収納体３０が脱落することが抑止される。
【００３６】
一の縁部が第一種固定具によりバッグ本体に接続され、一の縁部とは反対側にある他の縁部が第二種固定具によりバッグ本体に接続されることが好ましい。例えば、図２に示す側面側の縁部（一の縁部３１Ａ）には第一種固定具４０としてスナップボタン５０が用いられ、図３に示す側面側の縁部（他の縁部３１Ｂ）には第二種固定具４１としてひねり留め具５１が用いられている。このように一の縁部３１Ａと、一の縁部３１Ａとは反対側にある他の縁部３１Ｂで用いる固定具の種類を異ならせることで、バッグの輸送時に付加される衝撃等によって仮に一の縁部３１Ａに配置された第一種固定具４０による固定が解除されたとしても、他の縁部３１Ｂに配置された第二種固定具４１による固定が維持される可能性が高いため、バッグ本体２０から収納体３０が脱落するリスクを低減できる。
【００３７】
図示していないが、縁部３１に第一種固定具４０と第二種固定具４１が交互に配置される態様とすることもできる。固定構造の異なる固定具を隣り合わせて配置することにより、バッグの輸送時に付加される衝撃等によって、バッグ本体２０と収納体３０の固定が部分的に解除されることを抑制する。
【００３８】
第一種固定具４０および第二種固定具４１の種類は、固定および解除が行えるものであれば特に限定されず、例えば、スナップボタン、ひねり留め具、面ファスナー、線ファスナー、差し込み留め具、ホック、マグホック等を用いることができる。
【００３９】
第一種固定具４０は固定および解除を容易に行えることが好ましいため、第一種固定具４０としては例えばスナップボタン、面ファスナー、ホック、マグホックが好適に用いられる。他方、第二種固定具４１は第一種固定具４０よりも固定および解除がし難いものであることが好ましいため、第二種固定具４１としては、例えばひねり留め具、線ファスナー、差し込み留め具（バックル）が好適に用いられる。
【００４０】
図５〜図６を参照しながら、第二種固定具４１として好適に使用されるひねり留め具５１の構成例について説明する。図５、図６はそれぞれ本考案に係るひねり留め具５１の平面図、斜視図であり、ここでは固定状態にあるひねり留め具が図示されている。
【００４１】
ひねり留め具５１は、長軸と短軸を有する形状、例えば楕円形状や長方形状等の開口を有する開口部材５２と、開口と略同形状であり、当該開口に挿入可能な凸部を有する凸部材５３から構成される。なお、凸部材５３の凸部は回転可能に構成される。
【００４２】
バッグ本体２０および収納体３０へのひねり留め具５１の取り付けは、例えば次のように行う。まず、収納体３０の縁部３１に貫通孔を設け、開口部材５２の開口と収納体３０の貫通孔が重なるように開口部材５２を、かしめ５４等より収納体３０の縁部３１に固定する。次いで、凸部材５３をバッグ本体２０の外表面に固定する。収納体３０に固定された開口部材５２の開口に、バッグ本体２０に取り付けられた凸部材５３の凸部を差し込む。図５および図６に示すよう開口部材５２の開口と、凸部材５３の凸部が略直交するように凸部を回転させることによって開口部材５２と凸部材５３が係合し、バッグ本体２０と収納体３０が接続される。
【００４３】
図１〜図３に示すように、第一種固定具４０がスナップボタン５０であり、第二種固定具４１がひねり留め具５１であることが好ましい。スナップボタン５０は固定および解除を容易に行えるため、本考案に係るバッグ本体２０と収納体３０の固定に適している反面、バッグ輸送時に付加される衝撃等によって意図せずに固定が解除されることがある。このため、第二種固定具４１としてスナップボタン５０よりも固定解除し難いひねり留め具５１を設けることによって、収納体３０がバッグ本体２０から脱落するリスクを低減できる。
【００４４】
収納体３０をバッグ本体２０に取り付ける際に、バッグ本体２０と収納体３０の位置合わせを容易にするために、バッグ本体２０の上部と収納体３０の縁部３１が接続されることが好ましい。詳細には図１に示すようにバッグ本体２０の上部と収納体３０の縁部３１がスナップボタン５０により接続されることが好ましい。固定および解除を容易に行えるスナップボタン５０を用いることにより、バッグ本体２０と収納体３０の位置合わせを速やかに行うことができる。したがって、バッグ本体２０の上部と収納体３０の縁部３１をスナップボタン５０により固定した後、バッグ本体２０の上下方向に延在する固定具を固定すれば、バッグ本体２０と収納体３０の接続を短時間で行うことが可能である。
【００４５】
図示していないが、バッグ本体２０と収納体３０を確実に固定するために、バッグ本体２０の下部と収納体３０の縁部を接続することもできる。詳細にはバッグ本体２０の下部と収納体３０の縁部がスナップボタンにより接続されることが好ましい。このようにスナップボタンを用いることにより、バッグ本体２０と収納体３０の接続を容易に行うことができる。ここで、バッグ本体２０の上部、下部とは、バッグ本体２０を高さ方向に３分割したときの上側部分、下側部分とすることができる。
【符号の説明】
【００４６】
１０：ゴルフ用キャディバッグ
２０：バッグ本体
２１：胴部材
２２：底部材
３０：収納体
３１：縁部
３２：収納部
４０：第一種固定具
４１：第二種固定具
【図１】
0003199310.tif 000003
【図２】
0003199310.tif 000004
【図３】
0003199310.tif 000005
【図４】
0003199310.tif 000006
【図５】
0003199310.tif 000007
【図６】
0003199310.tif 000008